(57)【要約】【課題】フォントサイズを拡大した場合にも、スクロール等の画面操作を行うことなく全ての部品を一度に視認可能な表示画面制御手段を備えた成形機を提供する。【解決手段】マイコン１は、オペレータにより表示装置５の表示画面に表示されたモード画像１００Ａのフォントサイズの拡大が指示されたとき、モード画像１００Ａを構成する各部品１０１ａ〜１０１ｊ、１０２ａ〜１０２ｆのサイズ及びレイアウト、並びに、各部品内に表示される文字列１０３のレイアウトを変更することなく各部品内に拡大表示可能なフォントサイズを、各部品内に表示される文字数に応じて各部品毎に算出し、算出されたフォントサイズの文字列をそれぞれ該当する各部品内に表示する。【選択図】図６
2017024381.tif 000002
【特許請求の範囲】
【請求項１】
各種のモード画像を表示可能な表示装置と、成形機のオペレータにより操作される入力装置と、前記入力装置の出力信号に応じた所定のモード画像を所定のレイアウトで前記表示装置に表示する表示画面制御装置とを備えた成形機において、
前記表示画面制御装置は、前記入力装置の出力信号が、前記モード画像中に表示された文字列のフォントサイズの拡大を指示するものであるとき、前記モード画像を構成する各部品のサイズ及びレイアウト、並びに、前記各部品内に表示される文字列のレイアウトを変更することなく前記各部品内に拡大表示可能なフォントサイズを、前記各部品内に表示される文字列の文字数に応じて前記各部品毎に算出し、算出されたフォントサイズの文字列をそれぞれ該当する前記各部品内に表示することを特徴とする成形機。
【請求項２】
前記表示画面制御装置は、前記入力装置の出力信号が、前記モード画像中に表示された文字列のフォントサイズの縮小を指示するものであるとき、前記モード画像を構成する各部品のサイズ及びレイアウト、並びに、前記各部品内に表示される文字列のレイアウトを変更することなく、前記各部品間のフォントサイズの差が、縮小前における前記各部品間のフォントサイズの差よりも小さくなるフォントサイズを算出し、算出されたフォントサイズの文字列をそれぞれ該当する前記各部品内に表示することを特徴とする請求項１に記載の成形機。
【請求項３】
前記表示画面制御装置は、前記入力装置の出力信号が、前記モード画像中に表示された文字列のフォントサイズを、拡大されたフォントサイズから予め設定された基準フォントサイズへの縮小を指示するものであるとき、前記モード画像を構成する各部品のサイズ及びレイアウト、並びに、前記各部品内に表示される文字列のレイアウトを変更することなく、前記各部品内に表示される文字列のフォントサイズを共通として、前記各部品内に表示することを特徴とする請求項１及び請求項２のいずれか１項に記載の成形機。
【請求項４】
前記表示画面制御装置は、前記各部品内に表示する文字として和文字、欧文字、中国文字、ハングルなどの複数の文字種を前記各部品と関連付けて記憶しており、オペレータが前記入力装置を操作して１つの文字種を指定したとき、前記モード画像を構成する各部品のサイズ及びレイアウトを変更することなく前記各部品内に表示可能な、前記指定された文字種に特有のフォントサイズを算出し、算出されたフォントサイズの文字列をそれぞれ該当する前記各部品内に表示することを特徴とする請求項１乃至請求項３のいずれか１項に記載の成形機。
【請求項５】
前記入力装置は、基準フォントサイズに対するフォントサイズの拡大倍率を指定できるようになっており、前記表示画面制御装置は、オペレータが前記入力装置を操作することにより指定されたフォントサイズの拡大倍率を乗じたフォントサイズを算出し、算出されたフォントサイズの文字列が、それを表示しようとする部品内に表示し切れないものである場合には、前記モード画像を構成する各部品のサイズ及びレイアウト、並びに、前記各部品内に表示される文字列のレイアウトを変更することなく前記部品内に拡大表示可能な最大のフォントサイズを算出し、算出されたフォントサイズの文字列をそれぞれ該当する前記各部品内に表示することを特徴とする請求項１乃至請求項４のいずれか１項に記載の成形機。
【請求項６】
前記モード画像中に拡大倍率選択ボタンを表示し、オペレータが前記入力装置を操作して前記拡大倍率選択ボタンを押圧操作することにより、前記フォントサイズの拡大倍率を指定できるようにしたことを特徴とする請求項５に記載の成形機。
【発明の詳細な説明】
【技術分野】
【０００１】
本発明は、射出成形機やダイカストマシン等の成形機に係り、特に、成形運転条件の設定及び成形機の稼働状態の確認等に必要な各種のモード画像を、オペレータの指示に応じて表示装置に適時各種のモードで表示する表示画面制御装置の構成に関する。
【背景技術】
【０００２】
近年のマイクロコンピュータ（以下、「マイコン」と略称する。）制御の成形機には、ＬＣＤディスプレイ等の表示装置が備えられており、この表示装置に各種のモード画像を表示して、オペレータによる成形機の運転を支援するようになっている。表示装置に表示するモード画像としては、成形運転条件の設定及び成形機の稼働状態の確認等を行う各種の設定モード画像、自動成形運転中の多数のモニタ項目の実測データを表示する各種のモニタモード画像、及び、定期点検時期になると自動的に点検項目を表示して定期点検を促す定期点検モード画像等がある（例えば、特許文献１参照。）。
【先行技術文献】
【特許文献】
【０００３】
【特許文献１】特許第２９１９１２１号公報
【発明の概要】
【発明が解決しようとする課題】
【０００４】
図１に、表示装置に表示されるモード画像の一例として、表示装置に表示可能なモード画像の一覧をオペレータに表示するメニュー画面を示す。図１に示すメニュー画面１００Ａには、縦列に各種のメニュー項目を示す複数のメニュー表示部品１０１ａ〜１０１ｊが表示されると共に、各メニュー表示部品１０１ａ〜１０１ｊの横行には、それぞれ複数のメニュー選択部品１０２ａ〜１０２ｈが表示されている。また、メニュー表示部品１０１ａ〜１０１ｊ及びメニュー選択部品１０２ａ〜１０２ｈの下段には、上下２段に分けて、複数の画面選択部品１０４ａ、１０４ｂ、１０４ｃ、・・・１０４ｎが表示されている。メニュー表示部品１０１ａ〜１０１ｊ及びメニュー選択部品１０２ａ〜１０２ｆの内部には、数字を含む文字１０３が表示され、各画面選択部品１０４ａ、１０４ｂ、１０４ｃ、・・・１０４ｎの内部には、文字１０３又は絵文字１０５が表示されている。なお、文字１０３が表示されていないメニュー選択部品１０２ａ〜１０２ｆ、及び、文字１０３又は絵文字１０５が表示されていない画面選択部品１０４ａ、１０４ｂ、１０４ｃ、・・・１０４ｎは、それに対応するモード画像が用意されていない予備部品となっている。
【０００５】
メニュー選択部品１０２ａ〜１０２ｆ、及び、画面選択部品１０４ａ、１０４ｂ、１０４ｃ、・・・１０４ｎは、プッシュスイッチとして機能するようにソフトウェア的に構成されており、図示しない入力装置を用いてオペレータが所望のメニュー選択部品１０２ａ〜１０２ｆのいずれか、又は、画面選択部品１０４ａ、１０４ｂ、１０４ｃ、・・・１０４ｎのいずれかをプッシュ操作すると、それに対応するモード画面が選択的に表示装置に表示される。例えば、メニュー画面１００に表示されたメニュー表示部品１０１ａ（射出・可塑化）中のメニュー選択部品１０２ａ（射出・可塑化）をプッシュ操作すると、表示装置には、図２に示す射出・可塑化条件の設定モード画像２００Ａが表示される。画面選択部品１０４ｃをプッシュ操作した場合にも、これと同様に、図２に示す射出・可塑化条件の設定モード画像２００Ａが表示される。本例の設定モード画像２００Ａには、実測データ表示部品２０１、射出条件表示部品２０２、Ｖ−Ｐ切換条件表示部品２０３、保圧条件表示部品２０４、冷却タイマ条件表示部品２０５、可塑化条件表示部品２０６及びサックバック条件表示部品２０７が表示されている。これらの表示部品２０１〜２０７は、さらに複数の表示部品に分割されており、この分割された個々の表示部品の内部には、数字を含む文字２０８が表示されている。図２に示すように、射出・可塑化条件の設定モード画像２００Ａの最下段にも、内部に文字２０８又は絵文字２１０を表示した複数の画面選択部品２０９ａ、２０９ｂ、２０９ｃ、・・・２０９ｎが表示される。
【０００６】
言うまでもなく、モード画像中に表示される文字は、視認しやすいことが何よりも求められる。従来は、モード画像中に表示される文字のフォントやサイズが部品毎に異なると視覚が不安定になり、モード画像中に表示された文字を視認しにくくなると考え、図１及び図２に示すように、各部品毎に同一フォント、同一サイズの文字を表示するようにしている。また、隣接して表示される文字の視認性を高めるため、各部品の大きさに比べて文字の大きさを小さめに設定し、隣接して表示される文字間に比較的大きなスペースを設けるようにしている。従来においては、モード画像中に表示される文字列のフォントサイズが固定されており、オペレータが自己の好みに合わせて変更できない構成となっている。本明細書においては、このときのフォントサイズを「基準フォントサイズ」という。
【０００７】
然るに、成形品の製造現場においては、オペレータよりモード画像中に表示される文字のフォントサイズを可変にするように要望されることも多い。表示装置においてフォントサイズを可変にする技術は、パーソナルコンピュータ、タブレットコンピュータ、スマートフォン等の例からも明らかなように周知であり、成形機においても、オペレータの要望に合わせて、モード画像中に表示される文字のフォントサイズを可変にすることは容易である。しかしながら、従来周知の技術は、いずれもフォントサイズの拡大・縮小に応じて、表示画像を構成する部品のサイズ、例えばページサイズやセルサイズを拡大・縮小する方式であるので、フォントサイズを標準サイズよりも拡大した場合、フォントサイズの拡大倍率によっては、部品サイズが表示画面の表示サイズよりも大きくなって、部品の一部が表示画面上に表示されない状態になるということが起こり得る。このような場合、オペレータがモード画像全体を視認するためには、表示画面のスクロール等が必要になるので、成形機の操作性が却って悪くなるという問題を生じる。
【０００８】
本発明は、このような従来技術の問題を解決するためになされたものであり、その目的は、オペレータが自分の好みに合わせてモード画像中のフォントサイズを随時拡大・縮小可能であり、しかもフォントサイズを拡大・縮小した場合にも、スクロール等の画面操作を行うことなく、オペレータがモード画像全体を一度に視認できるように表示画面を制御する表示画面制御手段を備えた成形機を提供することにある。
【課題を解決するための手段】
【０００９】
本発明は、前記課題を解決するため、各種のモード画像を表示可能な表示装置と、成形機のオペレータにより操作される入力装置と、前記入力装置の出力信号に応じた所定のモード画像を所定のレイアウトで前記表示装置に表示する表示画面制御装置とを備えた成形機において、前記表示画面制御装置は、前記入力装置の出力信号が、前記モード画像中に表示された文字列のフォントサイズの拡大を指示するものであるとき、前記モード画像を構成する各部品のサイズ及びレイアウト、並びに、前記各部品内に表示される文字列のレイアウトを変更することなく前記各部品内に拡大表示可能なフォントサイズを、前記各部品内に表示される文字列の文字数に応じて前記各部品毎に算出し、算出されたフォントサイズの文字列をそれぞれ該当する前記各部品内に表示することを特徴とする。
【００１０】
上述したように、従来においては、部品内に表示される文字列の文字数に関係なく、同一サイズの文字が各部品内に表示されている。この場合においては、表示モード画像の視認性を高めるため、最も多くの文字数が表示される部品について、文字列がなるべく大きく表示されるようにフォントサイズを選択するのが普通であるので、各部品に表示されている文字を均一の拡大率で拡大しようとすると、この最も多くの文字数が表示される部品については、ほとんど拡大の余地がない。そのため、従来においては、オペレータによりフォントサイズの拡大が指示された場合、モード画像を構成する各部品のサイズ及びレイアウトを変更することにより対応している。これに対して、本構成は、オペレータによりフォントサイズの拡大が指示された場合にも、モード画像を構成する各部品のサイズ及びレイアウト、並びに、前記各部品内に表示される文字列のレイアウトを一切変更せず、文字数が少ないためにフォントサイズの拡大の余地が大きい部品ほど、大きな拡大率でフォントサイズを拡大する。文字数に関係なく同一サイズの文字を各部品内に表示した場合には、表示文字数が少ない部品ほど感覚的に視認性が悪くなるが、本構成によると、表示文字数が少ない部品ほどフォントサイズの拡大率が大きくなるので、文字数が少ない部品の視認性を良好なものにできる。よって、フォントサイズについての好みが異なる多くのオペレータの要望に適合できる。また、本構成によると、フォントサイズの拡大時に各部品内に表示される文字列のレイアウトも変更しないので、フォントサイズを変更しても文字列の見やすさに違和感を生じにくく、この点からもモード画像の視認性を良好なものにできる。さらに、本構成によると、各部品内に表示される文字のフォントサイズを拡大しても、常に画像モードを表示装置の表示画面内に収めることができるので、スクロール等の画面操作が不要になり、成形機の操作性を良好なものにできる。
【００１１】
また本発明は、前記構成の成形機において、前記表示画面制御装置は、前記入力装置の出力信号が、前記モード画像中に表示された文字列のフォントサイズの縮小を指示するものであるとき、前記モード画像を構成する各部品のサイズ及びレイアウト、並びに、前記各部品内に表示される文字列のレイアウトを変更することなく、前記各部品間のフォントサイズの差が、縮小前における前記各部品間のフォントサイズの差よりも小さくなるフォントサイズを算出し、算出されたフォントサイズの文字列をそれぞれ該当する前記各部品内に表示することを特徴とする。
【００１２】
本構成によると、フォントサイズを拡大する場合と同様に、モード画像を構成する各部品のサイズ及びレイアウト、並びに、各部品内に表示される文字列のレイアウトを変更しないので、フォントサイズを変更しても文字列の見やすさに違和感を生じにくく、多くのオペレータについてモード画像の視認性を良好なものにできる。
【００１３】
また本発明は、前記構成の成形機において、前記表示画面制御装置は、前記入力装置の出力信号が、前記モード画像中に表示された文字列のフォントサイズを、拡大されたフォントサイズから予め設定された基準フォントサイズへの縮小を指示するものであるとき、前記モード画像を構成する各部品のサイズ及びレイアウト、並びに、前記各部品内に表示される文字列のレイアウトを変更することなく、前記各部品内に表示される文字列のフォントサイズを共通として、前記各部品内に表示することを特徴とする。
【００１４】
本構成によると、表示画面制御装置に予め基準フォントサイズを設定しておくので、オペレータは入力装置を操作することによって、表示モード画像中に表示される文字のフォントサイズをいつでも基準フォントサイズに戻すことができ、成形機の使い勝手を良好なものにできる。
【００１５】
また本発明は、前記構成の成形機において、前記表示画面制御装置は、前記各部品内に表示する文字として和文字、欧文字、中国文字、ハングルなどの複数の文字種を前記各部品と関連付けて記憶しており、オペレータが前記入力装置を操作して１つの文字種を指定したとき、前記モード画像を構成する各部品のサイズ及びレイアウトを変更することなく前記各部品内に表示可能な、前記指定された文字種に特有のフォントサイズを算出し、算出されたフォントサイズの文字列をそれぞれ該当する前記各部品内に表示することを特徴とする。
【００１６】
本構成によると、表示画面制御装置に複数の文字種を表示モード画像の部品と関連付けて記憶したので、オペレータの要望に応じてモード画像の各部品に表示される文字種を適宜変更でき、成形機の使い勝手を良好なものにできる。また、文字種の変更が指示されたとき、文字種に応じた特有のフォントサイズを算出するので、表示する文字種によらず、最適サイズの文字をモード画像の各部品に表示できる。
【００１７】
また本発明は、前記構成の成形機において、前記入力装置は、基準フォントサイズに対するフォントサイズの拡大倍率を指定できるようになっており、前記表示画面制御装置は、オペレータが前記入力装置を操作することにより指定されたフォントサイズの拡大倍率を乗じたフォントサイズを算出し、算出されたフォントサイズの文字列が、それを表示しようとする部品内に表示し切れないものである場合には、前記モード画像を構成する各部品のサイズ及びレイアウト、並びに、前記各部品内に表示される文字列のレイアウトを変更することなく前記部品内に拡大表示可能な最大のフォントサイズを算出し、算出されたフォントサイズの文字列をそれぞれ該当する前記各部品内に表示することを特徴とする。
【００１８】
本構成によると、入力装置を操作することによって、フォントサイズの拡大倍率を指定できるので、オペレータが自分の好みに合ったフォントサイズを容易に設定できる。また、オペレータにより指定された拡大倍率を乗算することにより算出されるフォントサイズの文字列が、それを表示しようとする部品内に表示し切れないものである場合には、当該部品内に拡大表示可能な最大のフォントサイズを算出して、該当する部品内に表示するので、各部品内に所定の文字列をはみ出すことなく拡大して表示できる。
【００１９】
また本発明は、前記構成の成形機において、前記モード画像中に拡大倍率選択ボタンを表示し、オペレータが前記入力装置を操作して前記拡大倍率選択ボタンを押圧操作することにより、前記フォントサイズの拡大倍率を指定できるようにしたことを特徴とする。
【００２０】
本構成によると、モード画像中に拡大倍率選択ボタンを表示するので、オペレータは、入力装置を操作することによってフォントサイズの拡大倍率をワンタッチで指定することができ、フォントサイズの変更を容易に行うことができる。
【発明の効果】
【００２１】
本発明によると、オペレータによりフォントサイズの拡大が指示された場合に、モード画像を構成する各部品のサイズ及びレイアウトを変更することなく、各部品毎に拡大可能なフォントサイズを算出するので、表示する文字列の文字数が少ない部品ほどフォントサイズの拡大倍率を大きくできて、その視認性を良好なものにできると共に、スクロール等の画面操作が不要で、成形機の操作性を良好なものにできる。また、本発明によると、オペレータによりフォントサイズの拡大が指示された場合に、各部品内に表示される文字列のレイアウトを変更しないので、フォントサイズを変更しても文字の見やすさに違和感を生じにくく、この点からもモード画像の視認性を良好なものにできる。
【図面の簡単な説明】
【００２２】
【図１】基準フォントサイズの文字列が各部品中に表示されたメニュー画面を示す図である。
【図２】基準フォントサイズの文字列が各部品中に表示された射出・可塑化条件の設定モード画像を示す図である。
【図３】実施形態に係る成形機の制御系統を簡略化して示すブロック図である。
【図４】実施形態に係る成形機の正面図である。
【図５】実施形態に係る成形機のフォントサイズ変更操作方法を示す説明図である。
【図６】フォントサイズの拡大が指示された場合における表示制御部により行われる処理の処理手順を示すフローチャートである。
【図７】基準フォントサイズの１．４倍の文字列が各部品中に表示されたメニュー画面を示す図である。
【図８】基準フォントサイズの１．４倍の文字列が各部品中に表示された射出・可塑化条件の設定モード画像を示す図である。
【図９】基準フォントサイズの２．０倍の文字列が各部品中に表示されたメニュー画面を示す図である。
【図１０】基準フォントサイズの２．０倍の文字列が各部品中に表示された射出・可塑化条件の設定モード画像を示す図である。
【図１１】基準フォントサイズの欧文字が各部品中に表示されたメニュー画面を示す図である。
【図１２】基準フォントサイズの１．４倍の欧文字が各部品中に表示されたメニュー画面を示す図である。
【図１３】基準フォントサイズの２．０倍の欧文字が各部品中に表示されたメニュー画面を示す図である。
【発明を実施するための形態】
【００２３】
以下、本発明に係る成形機の実施形態を、図を用いて説明する。
【００２４】
図３に示すように、実施形態に係る成形機の制御系統は、成形機全体の動作制御や表示制御などを司るマイコン（表示画面制御装置）１と、成形機の各部に備えられた多数のセンサで構成されるセンサ群２と、成形機の各部に配設された多数の駆動源を駆動制御するための多数のドライバ回路で構成されるドライバ群３と、成形機のオペレータにより各種運転条件値の入力や表示画像の呼び出し指令等が行われる入力装置４と、成形機のオペレータに所要のモード画像を表示する表示装置５とから構成される。
【００２５】
入力装置４及び表示装置５は、図４に示すように、成形機６の前面部（オペレータが主に成形機６の操作を行う側の面）に設置される。なお、図４の例では、入力装置４と表示装置５を一体に組み合わせた入力・表示ユニット７が成形機６の前面部に設置されているが、それぞれ独立の別体に形成された入力装置４と表示装置５を成形機６の前面部に設置する構成とすることもできる。その他、図４に示す符号７は型開閉・型締装置、符号８は射出装置、符号９は成形機６の電源スイッチを示している。
【００２６】
マイコン１は、可塑化動作、射出動作、型開閉動作、エジェクト動作等の成形工程全体の制御や、実測データの演算・格納処理、異常判定処理等の演算・判定処理、あるいは表示装置５の出力画像の制御処理等々を実行する。このマイコン１は、実際には各種Ｉ／Ｏインターフェイス、ＲＯＭ、ＲＡＭ、ＣＰＵ等を具備したもので構成され、予め作成された各種プログラムにより各種処理を実行する。図３に示すように、実施形態に係るマイコン１は、成形条件設定記憶部１１、成形プロセス制御部１２、実測値記憶部１３、表示制御部１４、データ変換処理部１５、表示用固定データ格納部１６、画像データ生成・格納部１７、倍率変換処理部１８、フレームバッファ１９等を備えている。
【００２７】
成形条件設定記憶部１１には、オペレータが入力装置４を操作することによって入力された各種運転条件値が、書き替え可能な形で記憶されている。この運転条件値としては、例えば、可塑化工程時のスクリュー位置とスクリュー回転数及び背圧との関係、サックバック制御条件、射出開始点（位置）から保圧切替点（位置）までの射出速度条件並びに射出圧力条件、保圧切替時点から保圧終了時点までの２次射出圧力（保圧圧力）条件、各部のバンドヒータ温度、型閉じ（型締め）ストロークと速度制御条件並びに型締力、型開きストロークと速度制御条件、エジェクト制御条件、製品自動取り出し機の制御条件等々が挙げられる。
【００２８】
成形プロセス制御部１２は、予め作成された成形プロセス制御プログラムと、成形条件設定記憶部１１に格納された設定条件値とに基づき、マシンの各部に配設されたセンサ群２（位置センサ、圧力センサ、温度センサ等々）からの計測情報及び自身に内蔵されたクロックからの計時情報を参照しつつ、ドライバ群３（モータドライバ、油圧シリンダドライバ、ヒータドライバ等々）を介して対応する駆動源を駆動制御し、一連の成形工程を実行する。
【００２９】
実測値記憶部１３には、連続自動運転時における予め設定されたモニタ項目の総べての実測データが、連続する所定回数のショットにわたって取り込まれる。取り込まれるモニタ項目としては、時間監視項目、位置監視項目、回転数監視項目、速度監視項目、圧力監視項目、温度監視項目、電力監視項目等が挙げられ、前記した成形運転条件設定項目の重要項目がほぼオーバーラップするようになっている。
【００３０】
表示制御部１４は、入力装置４を操作することによって行われるモード画像の呼び出し指令に応じて、表示装置５に所要のモード画像を呼び出す。より具体的には、入力装置４からのモード画像の呼び出し指令を受けたとき、表示制御部１４は、予め作成された表示画像作成・制御プログラムに基づいてデータ変換処理部１５を制御し、成形条件設定記憶部１１や実測値記憶部１３に格納された情報から、呼び出し指令に応じたモード画像の表示に必要なデータを抽出させると共に、これを画像データに変換処理して画像データ生成・格納部１７に送出させる。また、表示制御部１４は、表示用固定データ格納部１６に予め作成されて格納されているモード画像用の固定データ（文字、記号、グラフィック図形、罫線データ等）から、当該モード画像の表示に用いるためのデータを抽出させて、これを画像データ生成・格納部１７に送出させる。画像データ生成・格納部１７では、予め作成された画像合成プログラムに基づき、データ変換処理部１５及び表示用固定データ格納部１６からの出力データを合成し、指定されたモード画像全体の文字、記号、グラフィック図形、罫線等の表示データ、更には、これらの表示データの配列情報と付加情報等を含む画像データを作成して、これを書き換え可能に保持する。
【００３１】
倍率変換処理部１８は、モード画像中に表示される文字列の拡大倍率を変換するものであり、予め設定された基準フォントサイズ（拡大倍率ｍ＝１）の文字列をモード画像に表示するだけでなく、オペレータからの要求に応じた所要の倍率で拡大されたフォントをモード画像に表示できるようにするものである。拡大倍率ｍの変更は、成形機のオペレータが入力装置４を操作することにより行うことができる。例えば、図５（ａ）に示すように、モード画像１００Ａ中に拡大倍率変更ボタン１０６を表示しておき、オペレータが入力装置４を操作して当該拡大倍率変更ボタン１０６をプッシュ操作したとき、図５（ｂ）に示すように、モード画像１００Ａ中に複数の拡大倍率選択ボタン１０７ａ、１０７ｂ、１０７ｃをプルダウン表示し、オペレータが所望の拡大倍率選択ボタンをプッシュ操作することにより、拡大倍率ｍを段階的に選択できるようにすることができる。なお、図５（ｂ）の例では、拡大倍率選択ボタン１０７ａ、１０７ｂ、１０７ｃのそれぞれに「大」、「中」、「小」の文字が割り当てられているが、「１．８倍」、「１．４倍」、「１．０倍」などの数字を割り当てることもできる。また、図５（ｂ）の例では、３個の拡大倍率選択ボタンが表示されているが、拡大倍率選択ボタンの数はこれに限定されるものではなく、２個でも、４個以上の複数であっても良い。加えて、図５（ｂ）の構成に代えて、オペレータが入力装置４を操作して拡大倍率変更ボタン１０６をプッシュ操作したとき、図５（ｃ）に示すように、モード画像１００Ａ中に拡大倍率のアップボタン１０７ｄ及びダウンボタン１０７ｅと倍率表示欄１０７ｆを表示し、オペレータがアップボタン１０７ｄ又はダウンボタン１０７ｅをプッシュ操作することにより、所望の拡大倍率ｍを任意に選択できるようにすることもできる。
【００３２】
フレームバッファ１９は、マイコン１のメモリ内で１画面分の表示状態を丸ごと保存しておく領域であり、表示装置５の表示画面に表示されているモード画像を他のモード画像に変更する場合には、変更後のモード画像に適合するように表示データ、配列情報及び付加情報等を書き換え、一定のタイミングでフレームバッファ１９の内容を表示装置５に送信する。例えば、オペレータによりフォントサイズの変更が指示された場合には、画像データ生成・格納部１７に記憶された基準フォントサイズの文字データを、倍率変換処理部１８でオペレータにより指示されたフォントサイズの文字データに変換し、この変換後の文字データをフレームバッファ１９に保存する。
【００３３】
図６に、表示装置５に表示されたモード画像中のフォントサイズの拡大がオペレータにより指示された場合における表示制御部１４により行われる処理の処理手順を示す。フォントサイズの拡大は、モード画像中に表示された各部品ごとに行われる。即ち、フォントサイズの拡大がオペレータにより指示されると、図５に示すように、表示制御部１４は、モード画像中に表示された１つの表示部品を指定し（手順Ｓ１）、基準フォントサイズｐにオペレータにより指示された倍率ｍを乗算して、拡大後の表示文字（文字列）の幅ｗと高さｈを測定する（手順Ｓ２）。具体的には、メモリに拡大後の表示文字を書き込んで、拡大後の表示文字が書き込まれたメモリ領域を検出することにより、拡大後の表示文字の幅ｗと高さｈを求めることができる。次いで、表示制御部１４は、表示用固定データ格納部１６から手順Ｓ１で指定した表示部品の幅ｗ０と高さｈ０を取得し（手順Ｓ３）、拡大後の表示文字の幅ｗが表示部品の幅ｗ０を超えているか否かを判定する（手順Ｓ４）。手順Ｓ４で、拡大後の表示文字の幅ｗは表示部品の幅ｗ０を超えていると判定した場合は、手順Ｓ５に移行し、表示部品の幅ｗ０内に表示可能なフォントサイズｐ１を、ｐ１＝ｐ×ｍ×（ｗ０／ｗ）の演算をすることにより求める。しかる後に、手順Ｓ６に移行する。また、手順Ｓ４で、拡大後の表示文字の幅ｗは表示部品の幅ｗ０を超えていないと判定した場合は、直接手順Ｓ６に移行する。手順Ｓ６では、拡大後の表示文字の高さｈが表示部品の高さｈ０を超えているか否かを判定する。手順Ｓ６で、拡大後の表示文字の高さｈは表示部品の高さｈ０を超えていると判定した場合は、手順Ｓ７に移行し、表示部品の高さｈ０内に表示可能なフォントサイズｐ２を、ｐ２＝ｐ×ｍ×（ｈ０／ｈ）の演算をすることにより求める。しかる後に、手順Ｓ８に移行する。また、手順Ｓ６で、拡大後の表示文字の高さｈは表示部品の高さｈ０を超えていないと判定した場合は、直接手順Ｓ８に移行する。手順Ｓ８では、算出されたフォントサイズｐ×ｍ、ｐ１、ｐ２の中から最小のフォントサイズを選択して、表示装置５に表示する。しかる後に、表示制御部１４は、次の表示部品を指定して（手順Ｓ９）、手順Ｓ１から手順Ｓ８までの処理を繰り返す。これを最後の表示部品まで繰り返す。
【００３４】
このような処理を行うことにより、モード画像を構成する各部品のサイズ及びレイアウト、並びに、各部品内に表示される文字列のレイアウトを変更することなく、部品内に表示される文字列を拡大できる。また、部品内に表示される文字列の文字数が少ない部品ほど、大きな倍率で拡大された文字列を表示できる。
【００３５】
図７に、基準フォントサイズ（ｍ＝１）の１．４倍にフォントサイズを拡大した場合のメニュー画面１００Ｂを示す。また、図８に、基準フォントサイズ（ｍ＝１）の１．４倍にフォントサイズを拡大した場合の射出・可塑化条件の設定モード画像２００Ｂを示す。さらに、図９に、基準フォントサイズ（ｍ＝１）の２．０倍にフォントサイズを拡大した場合のメニュー画面１００Ｃを示す。また、図１０に、基準フォントサイズ（ｍ＝１）の２．０倍にフォントサイズを拡大した場合の射出・可塑化条件の設定モード画像２００Ｃを示す。
【００３６】
図１と図７と図９の対比、及び、図２と図８と図１０の対比から明らかなように、オペレータによりフォントサイズの拡大が指示された場合にも、モード画像上に表示される全ての部品のサイズ及びレイアウト、並びに、各部品内に表示される文字列のレイアウトは一切変更されない。したがって、フォントサイズを拡大しても、モード画像の部品が表示装置５の表示画面からはみ出さず、表示画面のスクロール等が不要であるので、モード画像の確認を容易に行うことができる。
【００３７】
また、モード画像上の全ての部品中に表示される文字列のフォントサイズが、オペレータにより指示された拡大倍率で一律に拡大されるのではなく、部品中に表示される文字列の文字数やレイアウトによって、部品中に表示可能な文字列のフォントサイズが個々に決定される。例えば、メニュー表示部品１０１ｇ中のメニュー選択部品１０２ｆに表示される「成形条件診断」は、全角の６漢字からなるので、メニュー選択部品１０２ｆからはみ出さないようにフォントサイズの拡大倍率が小さく抑えられるのに対して、メニュー表示部品１０１ｂ中のメニュー選択部品１０２ｂに表示される「中子」は、全角の２漢字からのみなるので、メニュー選択部品１０２ｂからはみ出さない範囲で、「成形条件診断」の文字列よりも大きな拡大倍率で拡大される。従って、文字数が少ないために視認しにくいメニュー選択部品中に表示された文字列の視認性が改善され、このような表示を好むオペレータにとって、成形機の使い勝手を良好なものにできる。
【００３８】
これとは逆に、オペレータが入力装置４を操作することによって、モード画像中に表示された文字列のフォントサイズを縮小する指示をしたときには、例えば図９と図７、図７と図１の対比から明らかなように、各部品間のフォントサイズの差が、縮小前における各部品間のフォントサイズの差よりも小さくなるフォントサイズを算出し、算出されたフォントサイズの文字列をそれぞれ該当する各部品内に表示する。勿論、この場合においても、モード画像を構成する各部品のサイズ及びレイアウト、並びに、各部品内に表示される文字列のレイアウトは、一切変更されない。よって、フォントサイズを変更しても文字列の見やすさに違和感を生じにくく、多くのオペレータについてモード画像の視認性を良好なものにできる。
【００３９】
また、オペレータが入力装置４を操作することによって、拡大表示されている文字列を基準フォントサイズの文字列に戻すことを指示したときには、図１及び図２に示すように、各部品内に表示される文字列のフォントサイズを全て基準フォントサイズとして、各部品内に表示する。この場合においても、モード画像を構成する各部品のサイズ及びレイアウト、並びに、各部品内に表示される文字列のレイアウトは、一切変更されない。
【００４０】
さらに、実施形態に係る成形機は、部品内に表示可能な文字種をオペレータが選択できるようになっている。即ち、マイコン１の表示用固定データ格納部１６には、和文字、欧文字、中国文字、ハングル等の複数の文字種が各部品と関連付けて記憶しており、図示は省略するが各モード画像１００Ａ等の一部には、文字種の切換ボタンが表示されている。オペレータが入力装置４を操作して所望の文字種を選択すると、モード画像中の各部品内に選択された文字種での表示がなされる。図１１、図１２、図１３は、各部品内の文字列が欧文字で表示されたメニュー画面であり、図１１は基準フォントサイズの欧文字が各部品中に表示されたメニュー画面１００Ｄ、図１２は基準フォントサイズの１．４倍の欧文字が各部品中に表示されたメニュー画面１００Ｅ、図１３は基準フォントサイズの２．０倍の欧文字が各部品中に表示されたメニュー画面１００Ｆである。
【００４１】
和文字と欧文字とは同じ内容を合わす用語であっても文字数が異なるため、各部品内に表示される文字種を和文字から欧文字に変更した場合には、当然ながら各部品内に表示される文字列のレイアウトが変更される。しかし、例えば図１と図１１の比較から明らかなように、各部品内に表示される文字種を和文字から欧文字に変更しても、各部品のサイズ及びレイアウトは一定に保たれる。また、図１１と図１２、図１２と図１３の比較から分かるように、各部品内に欧文字が表示されている状態で、フォントサイズを変更しても、各部品のサイズ及びレイアウト、並びに、各部品内に表示される文字列のレイアウトは、一切変更されない。よって、一画面中に常にメニュー画面１００Ｄ、１００Ｅ、１００Ｆの全体を表示することができ、成形機の使い勝手を良好な状態に保つことができる。
【００４２】
上述したように、和文字と欧文字とは同じ内容を合わす用語であっても文字数が異なるため、部品サイズに占める文字列の割合が異なる。よって、ユーザにより文字種が和文字から欧文字に切り換えられた場合には、欧文字に特有のフォントに基づいて、モード画像を構成する各部品のサイズ及びレイアウトを変更することなく各部品内に表示可能な文字列のフォントサイズを算出し、算出されたフォントサイズの文字列をそれぞれ該当する前記各部品内に表示する。文字種が中国文字やハングルなどの他の文字種に切り換えられた場合も同様である。
【００４３】
図１１乃至図１３から明らかなように、メニュー画面等の成形機用のモード画像に欧文字を表示した場合、各部品毎に表示される文字数の差が、日本語を表示する場合に比べて、格段に大きくなる。よって、図１１に示すように、各備品に同一サイズのフォントを一律に表示すると、表示される文字列の文字数が少ない部品については、視認性が極めて悪いものになるが、図１２及び図１３に示すように、本発明によると、文字数が少ない文字列ほど大きな倍率でフォントサイズが拡大されるので、表示される文字列の文字数が少ない部品の視認性を高めることができる。
【００４４】
なお、上述した実施形態は、本発明を実施する際の具体的な形態の一例を示すものであり、本発明の範囲がこれに限定されるものではない。例えば、オペレータが好みのフォントサイズを予めマイコン１に登録しておき、この登録済のフォントサイズを選択してモード画像に表示するなど、任意に設計変更を施して実施することができる。
【産業上の利用可能性】
【００４５】
本発明は、射出成形機やダイカストマシン等の成形機に備えられる表示制御装置に利用できる。
【符号の説明】
【００４６】
１  マイコン（表示画面制御装置）
２  センサ群
３  ドライバ群
４  入力装置
５  表示装置
６  成形機
７  型開閉・型締装置
８  射出装置
９  電源スイッチ
１１  成形条件設定記憶部
１２  成形プロセス制御部
１３  実測値記憶部
１４  表示制御部
１５  データ変換処理部
１６  表示用固定データ格納部
１７  画像データ生成・格納部
１８  倍率変換処理部
１９  フレームバッファ
１００Ａ〜１００Ｆ  メニュー画面
１０１ａ〜１０１ｊ  メニュー表示部品
１０２ａ〜１０２ｈ  メニュー選択部品
１０３  文字
１０４ａ〜１０４ｎ  画面選択部品
１０５  絵文字
２００Ａ、２００Ｂ、２００Ｃ  射出・可塑化条件の設定モード画像
２０１  実測データ表示部品
２０２  射出条件表示部品
２０３  Ｖ−Ｐ切換条件表示部品
２０４  保圧条件表示部品
２０５  冷却タイマ条件表示部品
２０６  可塑化条件表示部品
２０７  サックバック条件表示部品
２０８  文字
２０９ａ〜２０９ｎ  画面選択部品
２１０  絵文字
【図１】
2017024381.tif 000003
【図２】
2017024381.tif 000004
【図３】
2017024381.tif 000005
【図４】
2017024381.tif 000006
【図５】
2017024381.tif 000007
【図６】
2017024381.tif 000008
【図７】
2017024381.tif 000009
【図８】
2017024381.tif 000010
【図９】
2017024381.tif 000011
【図１０】
2017024381.tif 000012
【図１１】
2017024381.tif 000013
【図１２】
2017024381.tif 000014
【図１３】
2017024381.tif 000015